【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
表示デバイスに動作可能に接続され、画像取得及び再構成の方法を実施する少なくとも１つの電子プロセッサを含む、ワークステーションによって読み出し可能及び実行可能な命令を記憶する非一時的コンピュータ可読媒体であって、前記方法は、
非ボクセル画像要素を含む、撮像モダリティの非ボクセルベース再構成済み画像を画像保存通信システム（ＰＡＣＳ）データベースから前記ワークステーションに引き出すことと、
前記ワークステーションにおいて、前記非ボクセルベース再構成済み画像から、前記撮像モダリティの少なくとも１つのボクセルベースリサンプリング済み画像を生成することと、
前記少なくとも１つのボクセルベースリサンプリング済み画像を前記表示デバイス上に表示することとを有する、非一時的コンピュータ可読媒体。
【請求項２】
前記少なくとも１つのボクセルベースリサンプリング済み画像は、少なくとも２つの異なるボクセルベースリサンプリング済み画像を含み、
前記生成する動作は、
前記ワークステーションにおいて、前記非ボクセルベース再構成済み画像から前記少なくとも２つの異なるボクセルベースリサンプリング済み画像を生成することを含み、前記異なるボクセルベースリサンプリング済み画像は、異なるボクセルサイズ及び異なるボクセル座標定位のうちの少なくとも一方だけ異なり、
前記少なくとも１つの非ボクセルベース再構成済み画像から前記少なくとも２つのボクセルベースリサンプリング済み画像を前記生成することはリアルタイムに実施され、
前記表示することは、前記少なくとも２つの異なるボクセルベースリサンプリング済み画像の各々を表示することを含む、請求項１に記載の非一時的コンピュータ可読媒体。
【請求項３】
前記方法は、
前記表示デバイス上に、前記少なくとも２つの異なるボクセルベースリサンプリング済み画像のうちの第１のボクセルベースリサンプリング済み画像を表示することと、
前記ワークステーションのユーザ入力デバイスを介して、前記第１のボクセルベースリサンプリング済み画像の領域の選択を示す１つ以上のユーザ入力を受信することと、
前記非ボクセルベース再構成済み画像から前記少なくとも２つの異なるボクセルベースリサンプリング済み画像のうちの第２のボクセルベースリサンプリング済み画像を生成することとを更に有し、
前記第２のボクセルベースリサンプリング済み画像は、前記非ボクセルベース再構成済み画像からの前記第１のボクセルベースリサンプリング済み画像とは異なるボクセルサイズを用いてリサンプリングされた、第１のボクセルベース再構成済み画像の選択された前記領域のリサンプリングである、請求項２に記載の非一時的コンピュータ可読媒体。
【請求項４】
前記領域の前記選択及び第２のボクセルベース再構成済み画像の生成はズーム動作を実行する、請求項３に記載の非一時的コンピュータ可読媒体。
【請求項５】
前記方法は、
前記表示デバイス上に、前記少なくとも２つの異なるボクセルベース再構成済み画像のうちの第１のボクセルベース再構成済み画像を表示することと、
前記ワークステーションのユーザ入力デバイスを介して、表示された前記第１のボクセルベースリサンプリング済み画像内のボクセル座標定位の選択を示す１つ以上のユーザ入力を受信することであって、選択された前記ボクセル座標定位は、前記第１のボクセルベースリサンプリング済み画像のボクセル座標定位とは異なる、受信することと、
前記非ボクセルベース再構成済み画像から前記少なくとも２つの異なるボクセルベースリサンプリング済み画像のうちの第２のボクセルベースリサンプリング済み画像を生成することであって、第２のボクセルベース再構成済み画像は選択された前記ボクセル座標定位を有する、生成することとを更に有する、請求項２に記載の非一時的コンピュータ可読媒体。
【請求項６】
前記ボクセル座標定位の前記選択及び前記第２のボクセルベースリサンプリング済み画像の前記生成は、スライス抽出動作を実行し、前記第２のボクセルベースリサンプリング済み画像は選択された前記ボクセル座標定位と位置合わせされる画像スライスである、請求項５に記載の非一時的コンピュータ可読媒体。
【請求項７】
前記非ボクセル画像要素はブロブ要素、ポイントクラウド要素又は空間的に重なり合う画像要素である、請求項１から６のいずれか一項に記載の非一時的コンピュータ可読媒体。
【請求項８】
前記非ボクセル画像要素は空間的に重なり合う画像要素であり、前記非ボクセルベース再構成済み画像において少なくとも隣接する非ボクセル画像要素が空間的に重なり合う、請求項１から７のいずれか一項に記載の非一時的コンピュータ可読媒体。
【請求項９】
前記非一時的コンピュータ可読媒体は、（ｉ）前記非ボクセル画像要素を最適化する画像再構成を実施して、前記非ボクセルベース再構成済み画像を生成するために、及び（ｉｉ）前記非ボクセルベース再構成済み画像を前記ＰＡＣＳに記憶するために、前記ワークステーションとは異なる画像再構成デバイスによって実行可能な画像再構成動作を更に記憶する、請求項１から８のいずれか一項に記載の非一時的コンピュータ可読媒体。
【請求項１０】
選択された前記非ボクセル画像要素の最大ボクセル解像度の値を得るために、前記非ボクセル画像要素が最適化され、
前記少なくとも１つのボクセルベース再構成済み画像を前記生成することは、前記最大ボクセル解像度で少なくとも１つのボクセルベース再構成済み画像を生成し、前記最大ボクセル解像度より粗いボクセル解像度で少なくとも１つのボクセルベース再構成済み画像を生成することを含む、請求項９に記載の非一時的コンピュータ可読媒体。
【請求項１１】
患者の撮像データを取得する、モダリティの画像取得デバイスと、
ブロブ要素、ポイントクラウド要素又は空間的に重なり合う画像要素のうちの少なくとも１つから選択される非ボクセル画像要素を用いて、前記撮像データから非ボクセルベース再構成済み画像を生成するようにプログラムされる再構成デバイスと、
表示デバイスと、
少なくとも１つの電子プロセッサとを備える、撮像システムであって、
前記少なくとも１つの電子プロセッサは、
非ボクセル画像要素を含む前記非ボクセルベース再構成済み画像を画像保存通信システム（ＰＡＣＳ）データベースからワークステーションに引き出し、
前記ワークステーションにおいて、前記非ボクセルベース再構成済み画像から、前記モダリティの少なくとも１つのボクセルベースリサンプリング済み画像を生成し、
前記少なくとも１つのボクセルベースリサンプリング済み画像を前記表示デバイス上に表示するために、前記表示デバイスを制御するようにプログラムされる、撮像システム。
【請求項１２】
前記少なくとも１つの電子プロセッサは、
前記非ボクセルベース再構成済み画像の前記非ボクセル画像要素の少なくとも最大又は最小標準取込値を求めることによって、前記非ボクセルベース再構成済み画像から少なくとも２つの異なるボクセルベースリサンプリング済み画像を生成するように更にプログラムされ、前記異なるボクセルベースリサンプリング済み画像は、異なるボクセルサイズ及び異なるボクセル座標定位のうちの少なくとも一方だけ異なり、
前記少なくとも１つの非ボクセルベース再構成済み画像から前記少なくとも２つのボクセルベースリサンプリング済み画像を前記生成することはリアルタイムに実施される、請求項１１に記載の撮像システム。
【請求項１３】
前記少なくとも１つの電子プロセッサは、
前記少なくとも２つの異なるボクセルベースリサンプリング済み画像のうちの第１のボクセルベースリサンプリング済み画像を表示するために、前記表示デバイスを制御し、
前記ワークステーションのユーザ入力デバイスを介して、前記第１のボクセルベースリサンプリング済み画像の領域の選択を示す１つ以上のユーザ入力を受信し、
前記非ボクセルベース再構成済み画像から、前記少なくとも２つの異なるボクセルベースリサンプリング済み画像のうちの第２のボクセルベースリサンプリング済み画像を生成するように更にプログラムされ、
前記第２のボクセルベースリサンプリング済み画像は、前記第１のボクセルベースリサンプリング済み画像とは異なるボクセルサイズを使用する、前記第１のボクセルベースリサンプリング済み画像の選択された前記領域のリサンプリングである、請求項１２に記載の撮像システム。
【請求項１４】
前記少なくとも１つの電子プロセッサは、
前記少なくとも２つの異なるボクセルベースリサンプリング済み画像のうちの第１のボクセルベースリサンプリング済み画像を表示するために、前記表示デバイスを制御することと、
前記ワークステーションのユーザ入力デバイスを介して、表示された前記第１のボクセルベースリサンプリング済み画像内のボクセル座標定位の選択を示す１つ以上のユーザ入力を受信することであって、選択された前記ボクセル座標定位は、第１のボクセルベース再構成済み画像のボクセル座標定位とは異なる、受信することと、
前記非ボクセルベース再構成済み画像から前記少なくとも２つの異なるボクセルベースリサンプリング済み画像のうちの第２のボクセルベースリサンプリング済み画像を生成することであって、前記第２のボクセルベースリサンプリング済み画像は選択された前記ボクセル座標定位を有する、生成することとを行うように更にプログラムされる、請求項１２に記載の撮像システム。
【請求項１５】
前記ボクセル座標定位の前記選択及び前記第２のボクセルベースリサンプリング済み画像の前記生成は、スライス抽出動作を実行し、前記第２のボクセルベースリサンプリング済み画像は選択された前記ボクセル座標定位と位置合わせされる画像スライスである、請求項１４に記載の撮像システム。